(57)【要約】噴霧された香料の微細なミストを提供する方法であって、水および香料の別々の容器の提供すること、および、別々の導管を通して少なくとも１つの噴霧ノズルに対して液体を運ぶことを含み、前記液体が前記少なくとも１つのノズルから噴霧される直前またはその直後に組み合わされる、前記方法。結果として、原香料の完全で快適なスペクトルを具備する、微細で、環境に望ましい香料の噴霧が可能になる。
2014504899.tif 000002
【特許請求の範囲】
【請求項１】
噴霧された香料の微細なミストを提供する方法であって、水および香料の別々の容器を提供すること、および、別々の導管を通して少なくとも１つの噴霧ノズルに対してそれらの液体を運ぶことを含み、それらの液体が前記少なくとも１つのノズルから噴霧される直前またはその直後に組み合わされる、前記方法。
【請求項２】
噴霧が単独のノズルを通して行われ、液体が噴霧前に組み合わされて、共に噴霧される、請求項１に記載の方法。
【請求項３】
噴霧が単独のノズルを通して行われ、１つの液体は噴霧され、他方は前記噴霧の経路内に直接位置づけられる導管を通して放出される、請求項１に記載の方法。
【請求項４】
混合の前に、その長さの最後の部分のために香料導管が水導管の内側に同軸に位置づけられる、請求項２に記載の方法。
【請求項５】
少なくとも１つの導管が、逆流抑止バルブを含む、請求項１に記載の方法。
【請求項６】
噴霧が２つのノズルを通して起こり、２つの噴霧が統合される、請求項１に記載の方法。
【請求項７】
噴霧デバイスであって、香料および水の別々の容器を含み、各容器はそこから少なくとも１つの噴霧ノズルに導かれる導管を有し、該少なくとも１つの噴霧ノズルおよび導管は、２つの液体が前記少なくとも１つのノズルから噴霧される直前または直後に組み合わされるように構成される、前記噴霧デバイス。
【発明の詳細な説明】
【技術分野】
【０００１】
本発明は、香料およびその大気への散布に関する。
【背景技術】
【０００２】
大気におけるまたは基質（皮膚を含む）上に噴霧された香料は、例えば、新鮮な空気のため、魅力的な個人の香りを提供するため、または、室内の特別なムードまたは雰囲気等の、多くの美的および実質的な理由のために大抵望まれる。原液のままの微細な香料を大気中または基質上に噴霧することは、強すぎると受け取られるであろうから、効果的でない（および非常に無駄が多い）であり、より少ない香料の使用、同時に、より効果的にすることが、求められてきた。
そのような方法の一つであって従来よく知られていた方法は、ひとつの有機溶剤または複数の溶剤をブレンドしたものに、香料を溶かすまたは分散させることである。最も普通に利用される溶剤は、エタノールであり、この種類でより著名な製品の一つは、オーデコロンである。これらはとても効果的ではあるが、コスト的および環境的見地において、これらの形式から脱却するべきという要望がある。
【０００３】
最も好適な解決策は水であるが、一般的に疎水性である香料成分を水に混入させるということは、時に相当の分量となる乳化剤を使用する、乳濁液の準備の必要を意味する。今までのところ、これらは溶剤型システムほどの効果があるとは証明されていない。乳濁液の特質から、これらは保存可能期間が限られているという付加的な不利益を、多くの場合有している。特に乳化剤は、基質の上、特に皮膚の上に、望ましくない残留物を残すため、粘着性のある、または、簡単に言えば不快な、残留物を生成する。さらにまた、乳化剤は水と相互作用し、その蒸発スピードを落とすことがあるため、望ましくない湿性感覚をもたらす。乳化剤はまた、若干の芳香成分を保持することができるため、芳香性能の低下および芳香プロファイルの変化をもたらし、望ましくない泡を生成する。最後に、その熱力学的に不安定な特質のため、乳濁液は保存可能期間が限られているという付加的な不利益を有している。
芳香組成物において多量の水を使用することはまた、加水分解および酸化などの望ましくない化学反応を誘発し、いくつかの芳香成分、特に天然成分の完全性および芳香の全体的な臭覚特性に影響を与える。
【発明の概要】
【発明が解決しようとする課題】
【０００４】
従来のこれらの問題点は、特定の方法を用いて少なくとも実質的に克服できることが今や見出された。したがって、噴霧された香料の微細なミストを提供する方法が提供され、液体を別々の導管を通して少なくとも１つの噴霧ノズルに運び、液体が前記少なくとも１つのノズルから噴霧される直前またはその直後に組み合わされる、水および香料の別々の容器を供給することを含む。
香料および水の別々の容器を含む噴霧デバイスがさらに提供され、各容器は、そこから少なくとも１つの噴霧ノズルに導かれる導管を有し、該少なくとも１つの噴霧ノズルおよび導管は、２つの液体が少なくとも１つのノズルから噴霧される直前またはその直後に組み合わされるように構成される。
【０００５】
“水”とは、実質的にどのような乳化剤も含まない、蛇口からの水、蒸留された水または脱イオン化された水を第一に意味する。しかしながら、本発明の特定の態様において、水はまた、２ｗｔ％、好ましくは１ｗｔ％以下、より好ましくは０．５ｗｔ％以下の、粘性制御剤、界面活性剤、防腐剤、染料および着色物質および同様のものなどの、流動性、エアロゾル液滴直径および液滴直径分布、生物学的汚染に対する水の性状および安定性を改善するために添加される、添加剤を含有してもよい。
【課題を解決するための手段】
【０００６】
デバイスは、任意の好適な材料および任意の望ましい容量で作成してもよい。容器および導管両方の適切な比率は、当業者の単純な実験だけで簡単に確認することができる。
上記で定義されたデバイスにおいて使用する噴霧ノズルは、微細な液滴の噴霧またはエアロゾルを生成する能力がある任意の好適な噴霧ノズルであってもよい。エアロゾルの形成は、単純な圧力（例えば、手動ポンプからのまたは加圧ガスを用いた）または圧電性、イオン化、キャビテーションまたはサウンド（超音波を含む）デバイスなどの、任意の簡便な手段によって行ってもよい。２つまたはそれ以上のこのようなデバイスを組み合わせて使用してもよい。
“少なくとも１つの噴霧ノズル”は、１つのノズルまたは複数のノズルを意味し、後者の場合は、通常は２つである。複数のノズルの場合は、噴霧した際に別々の噴霧が生成され統合される。
単独のノズルの場合、液体は噴霧の直前に組み合わされてもよい。代替の方法として、導管から放出された液体が噴霧によって噴霧され運搬されるというように、１つは噴霧され、他方はその端部が噴霧の直接経路に位置する導管から放出されてもよい。この場合、一般的に噴霧されるのは水であり、香料は導管から放出されるが、これは逆でもよい。
【０００７】
組み合わされた噴霧が生成される単独のノズルにおいては、２つの導管は、噴霧ノズルに隣接する混合チャンバの中へ送り込まれてもよく、そこから噴霧されてもよい。混合チャンバは追加的にスタティックミキサーを含んでいても良い。２つの導管は混合チャンバへの別々の位置口を有してもよいが、いくつかの場合においては、噴霧が終了した後に液体がチャンバ内に存在する場合、混合された液体が容器の中へ流れ込んでそれらを汚染することがないようにすることは困難である。特定の態様がこの問題を回避する。この態様において、導管はチャンバに対するその長さの最後の部分において同心である。これは、望ましくない逆流を、導管のどちらかまたは両方におけるバルブなどの比較的単純な手段によって予防することを可能にする。一つの例は、チャンバの底部においてバネで留められたボールバルブである。そのようなデバイスは既に知られており、安価で、簡単に手に入り、すべての種類の単純なポンプデバイスにおいて広く利用されている。言うまでもなく同じ結果を得られる代替方法もあり、当業者はそのような代替を提供することができる。
【０００８】
この単独ノズル−混合チャンバデバイスの驚くべき特長は、効果的で香りの高い噴霧を生成するために、不適合な液体が組み合されてもよいことであり、香料は、種々の疎水性の多数の成分の複雑なブレンドであっても、その完全性を保持する。噴霧されたエアロゾルの正確な特徴は知られていないが、香料は、噴霧動作によって形成される水液滴の表面上に吸着し、大気中または表面上に運ばれると考えられている。
２−ノズルデバイスにおいては、２つの噴霧が生成され、１つは水噴霧で他方は香料噴霧であり、単独の香料噴霧を与えるために、２つの噴霧は組み合わされる。このような組み合わされた噴霧を生み出すように、ノズルを位置決めする必要がある。これは、好適な組み合わせおよび方向を提供するための好適なバッフル（baffle）および偏向器（deflector）を場合によっては具備する、特定のノズルの位置決めを伴うが、そのようなものは当業者によって簡単に提供される。いくつかの例は限定されず以下を含む：
（ａ）並んで位置決めされ、噴霧の平均方向が狭い角度をなすように、互いにわずかに向き合っている２つのノズル
（ｂ）香料噴霧ノズルの噴霧方向軸は、水噴霧ノズルのそれと垂直であり、２つの噴霧は交差し、水噴霧の量および／または力は、香料噴霧が同伴されるような香料噴霧に関連する。
【０００９】
液体を放つための機構は、任意の好適な機構であってよい。例えば、１つまたは両方の液体が圧力下にあり、バルブの押し下げによってこれらを放ってもよい。もう一つの例は、キャップの押し下げで液体のポンピングを引き起こす、既知の種類の噴霧ポンプを利用することである。これは噴霧のための好適な量の液体が計量されるように構成されている。さらなる可能性として、加圧ガスを離型剤として利用することもできる。
本デバイスは、特定の態様を表現および説明する図面および例を参照してさらに説明されるが、これらはどのような限定も意図しない。
【図面の簡単な説明】
【００１０】
【図１】図１は、原理の有効性を明らかにするために利用される、装置の概略断面図である。
【図２】図２は、特定の態様の概略断面図である。
【図３】図３は、図１の態様の部分概略斜視図である。
【図４】図４は、さらなる態様の概略断面図である。
【発明を実施するための形態】
【００１１】
図１において、全体的に１で示される噴霧ノズルは、２つの導管を含み、１つは水用２で、他方は香料用３である。水導管２は、噴霧ノズル４の中へ入る。香料導管３の端部５は、ちょうど水噴霧の経路内に位置決めされる。両方の導管が、圧力下で容器（図示せず）から送り込まれ、組み合わされた噴霧は、大きく囲まれた容積６、この場合は、噴霧乾燥装置の収集チャンバの中へ噴霧する。図２において、噴霧容器は、２つの容器、水容器８および香料容器９を収納する、本体部分７を含む。これらの容器からは、噴霧キャップ１２へ入る、導管１０および１１がそれぞれ現れる。このキャップにおいて、これらは組み合わされた水−香料噴霧１３として混合および噴霧される。
図３は、図２において丸で囲まれた部分の詳細を概略的に示す。香料導管が水導管内に同軸に取り付けられ、香料導管が水導管の内壁を好適な位置まで下がって突き通るように、水導管１０の直径は、香料導管１１と比較して大きい。
【００１２】
噴霧キャップ１２は、既知の種類の標準噴霧キャップである。キャップは、噴霧の前に液体が容器から充填され、キャップ内の容器に置かれるようにする、ポンピング機構（図示されないが、既知の種類のもの）を作動させる。この場合、各容器から１つで、２つの液体が取り出され、相対的な量は２つの導管の相対的な直径により決定される。キャップ内には、水または水−香料混合物が香料容器の中へ逆漏出して香料を汚染することを防ぐために、香料導管１１の中にフィットしてブロックするように適合される、下方に伸長する部材１４をさらに含む。
動作において、キャップ１２は、噴霧容器からキャップを押しのけようとするキャップのらせんばね（図示せず）の圧力に逆らって、一連の下向きのストロークが適用されることによりポンピングされる。初期のストロークは、部材１４の香料導管１１からの離脱を引き起こし、両方の液体がそれぞれの容器からチャンバに吸い込まれる。続いて起こる下向きのストロークは、チャンバの充填および最終的には混合された液体をキャップから微細なミストとして噴霧することを引き起こす。
【００１３】
図４は、概して１５で示される噴霧キャップを示し、その中には、１つは香料用１７、他方は水用１８である、２つのポンプによって送り込まれる混合チャンバ１６が位置づけられる。キャップ１５の押し下げは、噴霧前のポンプの動作および液体の各容器からチャンバへの通過の両方を引き起こす。正確な比率の計量は、ポンプの構造によって保証され、ポンプ内のバルブは、チャンバ１６から容器中へのどのような逆流も防止する。
【実施例１】
【００１４】
例１：水エアロゾルによる効果的な香料輸送の実証
この実証においては、図１に示される装置が利用された。
９９．５ｇの脱イオン化された水が、室温（２０°Ｃ）、供給量９．９５ｇ／ｍｉｎ、空気圧１ｂａｒで、チャンバ４の中へ噴霧された。同時に、どのような溶剤も含まず、酪酸メチルエチル−２、プレニルアセタート、ヘキシルアセタート、Ａｇｒｕｍｅｘ（商標登録）、Ｊａｓｍａｃｙｃｌｅｎe（商標登録）、ベータ−イオノン、ガンマ  ウンデカラクトンおよびＮｅｃｔａｒｙｌ（商標登録）を含む、芳香油濃縮物が、内径０．８ｍｍの可撓管を利用して、供給量０．０５ｇ／ｍｉｎでノズルへ送り込まれた。
【００１５】
混合香料／水エアロゾルは、ノズルから１ｍの距離に位置付けられる噴霧乾燥チャンバ６の底部において収集された。実験は、１０分間に渡って行われ、水および香料の送り込みの両方が停止された。収集された液体は、シクロヘキサンで抽出され、抽出物は、液体内に存在する香料の量を決定するために毛細管ガス・クロマトグラフィーで解析された。ノズルの高さで実現される、通常の香料の水に対する比率の９０％に対応する、香料の水に対する比率０．４５が求められた。回収された香料の組成物は、蒸発によりそのレベルが多少減少する最揮発性の付臭剤（例えば、酪酸メチルエチル−２、酢酸プレニルおよびシトラール）を除けば、システムに送り込まれる香料油のそれと同様であった。
水エアロゾルは、最小限の香料低下および変化で、チャンバを通して効果的に香料を運ぶことが実証された。
【実施例２】
【００１６】
例２：実用的なフィンガースプレイヤー（finger sprayer）
より大きな直径（２ｍｍ）を有する水管内に同軸に配置され、直径０．５ｍｍの毛細管を通して香料が水の中へ送り込まれる、図２および３において示される装置が利用された。毛細管の開口部は、噴霧ポンプの開口部に近くはあるがその下に位置づけられる。
使用された芳香は、Ｆｉｘｏｌｉｄｅ（登録商標）、Ｇａｌａｘｏｌｉｄｅ（登録商標）、Ｉｓｏ  Ｅ  Ｓｕｐｅｒ（登録商標）、Ｌｉｌｉａｌ（登録商標）、ジヒドロ ミルセノール、クマリン、シクロヘキサール、アルファメチルイオノン、Ｒａｄｊａｎｏｌ（登録商標）、Ｖｅｒｄａｎｔｉｏｌ（登録商標）、Ｈｅｄｉｏｎｅ（登録商標）、グリコール酸アミルアリル、Ｔｒｉｃｙｃｌａｌ（登録商標）、アルデヒドＣ１２ＭＮＡ、ジプロピレングリコール（９．８％）およびフタル酸ジエチル（８％）を含む上質な香料である。
フィンガースプレイヤーは、エアロゾルが生成されるまで作動される。この動作によって得られるエアロゾルは、強力な芳香性があり、エアロゾルが適用される皮膚または布のようなどのような基質に対してもさわやかで強い匂いを提供することが認められた。適用されたエアロゾルは、さらにさわやかで爽快であると判断され、濃い繊維上にどのような望ましくない残留物も残さなかった。
【図１】
2014504899.tif 000003
【図２】
2014504899.tif 000004
【図３】
2014504899.tif 000005
【図４】
2014504899.tif 000006
【国際調査報告】
2014504899.tif 000007
2014504899.tif 000008
2014504899.tif 000009